(57)【特許請求の範囲】
【請求項１】
記録用紙の幅方向に往復駆動されるキャリッジ上に装填され、ノズル開口からインク滴を吐出することで記録用紙に印字を行うインクジェット式記録ヘッドと、前記記録ヘッドを封止すると共に、負圧発生手段からの負圧を受けて記録ヘッドからインクを吸引するキャッピング手段と、前記記録ヘッドがキャッピング手段によって封止された状態を保持するためにキャリッジの移動をロックするキャリッジロック機構とを備えたインクジェット式記録装置であって、
前記キャリッジロック機構は、キャリッジの移動方向に直交する方向に移動できるように配置されると共に、移動途上においてキャリッジの一部に係合して、キャリッジの移動を阻止するロックピンを備えたスライド部材と、前記スライド部材に形成された溝孔内に摺動し、アクチェータの駆動力を受けて前記スライド部材を進退させる駆動ピンとが具備され、前記駆動ピンが摺動する溝孔は、外力を受けたスライド部材の移動作用により、前記駆動ピンの移動を阻止することができる溝構造を形成したことを特徴とするインクジェット式記録装置。
【請求項２】
前記スライド部材に形成された溝孔の一部には、キャリッジロック状態において前記駆動ピンが位置し、外力によりスライド部材が移動作用を受けた場合に、前記駆動ピンが係合される屈曲部を形成してなる請求項１に記載のインクジェット式記録装置。
【請求項３】
前記スライド部材に形成された溝孔は、長手方向が互いに平行状態となるように形成された第１の直線部と第２の直線部、および前記第１の直線部と第２の直線部に直交して形成され、前記第１の直線部と第２の直線部とを連通させる連通部より構成され、前記第１の直線部と連通部との間で形成される第１の屈曲部、および前記第２の直線部と連通部との間で形成される第２の屈曲部を備えてなる請求項２に記載のインクジェット式記録装置。
【請求項４】
前記スライド部材に形成された溝孔は、長手方向が互いに平行状態となるように形成された第１の直線部と第２の直線部、および前記第１の直線部と第２の直線部に対して互いに鈍角の関係を持って第１の直線部と第２の直線部とを連通させる連通部より構成され、前記第１の直線部と連通部との間で形成される第１の屈曲部、および前記第２の直線部と連通部との間で形成される第２の屈曲部を備えてなる請求項２に記載のインクジェット式記録装置。
【請求項５】
前記スライド部材に形成された溝孔は、直線状に形成されると共に、長手方向の途中において溝幅を変化させた構成とされ、前記溝幅の変化位置において屈曲部を形成してなる請求項２に記載のインクジェット式記録装置。
【請求項６】
前記駆動ピンが、アクチェータの回転駆動力を受けて正逆方向の円弧運動を呈し、駆動ピンの円弧運動の移動範囲において、前記ロックピンを具備したスライド部材を進退可能に駆動するように構成した請求項１乃至請求項５のいずれかに記載のインクジェット式記録装置。
【請求項７】
前記スライド部材にはワイピング部材がさらに配置され、ワイピング部材がスライド部材の移動に伴って前記記録ヘッドの移動経路に進出できるように構成された請求項１乃至請求項６のいずれかに記載のインクジェット式記録装置。
【発明の詳細な説明】
【０００１】
【発明の属する技術分野】
本発明は、記録用紙の幅方向に移動するキャリッジ上に装填され、ノズル開口からインク滴を吐出するインクジェット式記録ヘッドを具備した記録装置に関し、特にキャリッジの移動を阻止するキャリッジロック機構において、装置に受ける衝撃などの影響によりロック状態が解除されるのを防止し得るようにしたインクジェット式記録装置に関する。
【０００２】
【従来の技術】
インクジェット式記録装置は印刷時の騒音が比較的小さく、しかも小さなドットを高い密度で形成できるため、昨今においてはカラー印刷を含めた多くの印刷に使用されている。このようなインクジェット式記録装置は、インクカートリッジからのインクの供給を受けるインクジェット式記録ヘッドと、記録用紙を記録ヘッドに対して相対的に移動させる紙送り手段を備え、記録ヘッドをキャリッジ上で記録用紙の幅方向に移動させながら記録用紙に対してインク滴を吐出させることで記録が行われる。そしてキャリッジ上に、ブラックインクおよびイエロー、シアン、マゼンタの各カラーインクが吐出が可能な記録ヘッドを搭載し、ブラックインクによるテキスト印刷ばかりでなく、各インクの吐出割合を変えることにより、フルカラー印刷を可能としている。
【０００３】
前記したインクジェット式記録ヘッドは、圧力発生室で加圧したインクをノズルからインク滴として記録用紙に吐出させて印刷を行う関係上、ノズル開口からの溶媒の蒸発に起因するインク粘度の上昇や、インクの固化により、また塵埃の付着、さらには気泡の混入などにより、印刷不良を起こすという問題を抱えている。このために、インクジェット式記録装置には、動作電源の未投入状態または非印刷時において、記録ヘッドのノズル開口を封止するためのキャッピング手段と、ノズルプレートを清掃するゴム材料などの弾性板からなるワイピング部材が備えられている。
【０００４】
前記キャッピング手段は、印刷の休止時に前記したノズル開口のインクの乾燥を防止する蓋として機能するだけでなく、ノズル開口に目詰まりが生じた場合には、ノズルプレートを封止し吸引ポンプからの負圧によりノズル開口からインクを吸引してノズル開口のインク固化による目詰まりや、インク流路内への気泡混入によるインク吐出不良を解消するクリーニング機能を達成できるようにもなされている。また、前記した印刷装置には、非印刷時において前記キャッピング手段による記録ヘッドの封止状態を維持させるために、キャリッジをキャッピング手段の直上位置にロックさせるキャリッジロック機構が具備されている。
【０００５】
図９は従来の記録装置に採用されているキャリッジロック機構の一例を、装置の側面方向から視た状態で示している。すなわち、ガイド部材４に案内されてプラテンの軸方向に往復駆動されるキャリッジ１の下側面には、記録ヘッド１２が搭載されており、また記録ヘッド１２の手前側には係合部材１ｂがキャリッジ１の下側面に突出するように配置されている。
【０００６】
一方、前記記録ヘッド１２による印字領域外におけるホームポジションには、キャリッジ１の移動方向と直交する方向（図中左右方向）に移動可能となるように支持されたスライド部材２１が配置されており、このスライド部材２１には、その上部に突出するようにロックピン２２が一体に形成されている。またロックピン２２に隣接するスライド部材２１の上部には、ゴムなどの弾性板を短冊状に形成してなるワイピング部材１１が取り付けられている。
【０００７】
そして、スライド部材２１の一部には直線状の溝孔２３が垂直方向に形成されており、この溝孔２３内に摺動してスライド部材２１を進退可能に駆動する駆動ピン２４が具備されている。前記駆動ピン２４は、アクチェータとしての例えば紙送りモータの駆動力を受けて正逆方向に回転駆動されるカム部材２５に取り付けられており、したがってカム部材２５の正逆方向の回転駆動により、駆動ピン２４は円弧運動がなされ、駆動ピン２４の円弧運動の移動範囲において、前記スライド部材２１が進退されるように構成されている。
【０００８】
図９に示す状態は、キャリッジロック状態を示しており、スライド部材２１の移動途上において、スライド部材２１の上部に形成されたロックピン２２が、キャリッジ１の下側面に配置された係合部材１ｂに係合して、キャリッジ１のガイド部材４方向への移動を阻止するようになされている。これにより、図９には示されていないが、キャリッジ１のホームポジション側への移動に伴って上昇するキャッピング手段が、記録ヘッド１２のノズル形成面を封止し、キャリッジロックによって、その封止状態が維持できるように構成されている。
【０００９】
一方、図１０はスライド部材２１が後退したリセット状態を示しており、この状態においては、キャリッジ１に配置された係合部材１ｂは、スライド部材２１に形成されたロックピン２２からの係合が外れ、キャリッジ１はガイド部材４に沿って移動可能な状態とされる。また、図１１はスライド部材２１が前進したワイピング状態を示しており、この状態においては、キャリッジ１に配置された係合部材２２は、スライド部材２１に形成されたロックピン２２からの係合が外れた状態となさている。
【００１０】
しかもこの状態においては、スライド部材２１に配置されたワイピング部材１１が記録ヘッド１２の移動経路に進出して、キャリッジ１の移動に伴って記録ヘッド１２のノズル形成面をワイピング部材１１によって払拭（ワイピング）されるようになされる。これにより、記録ヘッドのノズル形成面に付着したインク等を払拭し、ノズル形成面の清掃が行われる。
【００１１】
【発明が解決しようとする課題】
ところで、前記した記録装置においては、例えば搬送中において振動を受けたり、極端な場合には落下による大きな衝撃を受けることもある。特に、図９に示したようなキャリッジロック機構においては、スライド部材２１に形成された直線状の溝孔２３と、この溝孔２３に摺動するカム部材２５に配置された駆動ピン２４との位置関係でキャリッジロックの状態を形成しているため、図９において左右方向への大きな衝撃を受けた場合には、スライド部材２１はその慣性によりカム部材２５に配置された駆動ピン２４を押しやり、キャリッジのロック状態が解除されるという問題が発生する。
【００１２】
特にこの種の記録装置においては、装置の簡素化を図るために紙送りモータの駆動力を、キャッピング手段の内部空間を負圧に吸引する吸引ポンプの駆動にも利用するように構成されており、したがってカム部材は２５は摩擦クラッチを介して回動されるように構成されている。このような構成の場合には、摩擦クラッチを滑らせてカム部材を回動せしめ、キャリッジのロック状態が解除されるという現象が発生しやすい。
【００１３】
前記したようにキャリッジのロック状態が解除された場合には、キャッピング手段に配置された図示せぬ戻しバネの作用、およびその後のわずかな振動等を受けてキャリッジ１は印字領域側に容易に移動し、これによりキャッピング手段が下降して記録ヘッド１２のノズル形成面の封止が解除されるという問題に発展する。
【００１４】
このような状態のままで、装置を長期にわたって放置した場合においては、記録ヘッドのノズル開口におけるインクが固化し、極端な場合にはクリーニング操作を実行しても、ノズル開口がインクの固化物により閉塞されて、記録ヘッドの機能が回復不可能に陥るという問題に発展する。
【００１５】
本発明は、前記した従来の装置における問題点に着目してなされたものであり、記録装置に受ける衝撃などの影響によりロック状態が解除されるのを効果的に防止し得るキャリッジロック機構を提供し、これにより前記したような問題点を解消することができるインクジェット式記録装置を提供することを課題とするものである。
【００１６】
【課題を解決するための手段】
前記した課題を解決するために成された本発明にかかるインクジェット式記録装置は、記録用紙の幅方向に往復駆動されるキャリッジ上に装填され、ノズル開口からインク滴を吐出することで記録用紙に印字を行うインクジェット式記録ヘッドと、前記記録ヘッドを封止すると共に、負圧発生手段からの負圧を受けて記録ヘッドからインクを吸引するキャッピング手段と、前記記録ヘッドがキャッピング手段によって封止された状態を保持するためにキャリッジの移動をロックするキャリッジロック機構とを備えたインクジェット式記録装置であって、前記キャリッジロック機構は、キャリッジの移動方向に直交する方向に移動できるように配置されると共に、移動途上においてキャリッジの一部に係合して、キャリッジの移動を阻止するロックピンを備えたスライド部材と、前記スライド部材に形成された溝孔内に摺動し、アクチェータの駆動力を受けて前記スライド部材を進退させる駆動ピンとが具備され、前記駆動ピンが摺動する溝孔は、外力を受けたスライド部材の移動作用により、前記駆動ピンの移動を阻止することができる溝構造を形成したことを特徴とする。
【００１７】
この場合、スライド部材に形成された溝孔の一部には、キャリッジロック状態において前記駆動ピンが位置し、外力によりスライド部材が移動作用を受けた場合に、前記駆動ピンが係合される屈曲部を形成した構成とすることが望ましい。
【００１８】
そして、好ましい実施の形態においては、スライド部材に形成された溝孔は、長手方向が互いに平行状態となるように形成された第１の直線部と第２の直線部、および前記第１の直線部と第２の直線部に直交して形成され、前記第１の直線部と第２の直線部とを連通させる連通部より構成され、前記第１の直線部と連通部との間で形成される第１の屈曲部、および前記第２の直線部と連通部との間で形成される第２の屈曲部が備えられる。
【００１９】
また、他の好ましい実施の形態においては、スライド部材に形成された溝孔は、長手方向が互いに平行状態となるように形成された第１の直線部と第２の直線部、および前記第１の直線部と第２の直線部に対して互いに鈍角の関係を持って第１の直線部と第２の直線部とを連通させる連通部より構成され、前記第１の直線部と連通部との間で形成される第１の屈曲部、および前記第２の直線部と連通部との間で形成される第２の屈曲部が備えられる。
【００２０】
さらに、スライド部材に形成された溝孔は、直線状に形成されると共に、長手方向の途中において溝幅を変化させた構成とされ、前記溝幅の変化位置において屈曲部が形成された構成を採用することもできる。
【００２１】
そして、前記したいずれの構成を採用するにおいても、好ましくは前記駆動ピンが、アクチェータの回転駆動力を受けて正逆方向の円弧運動を呈し、駆動ピンの円弧運動の移動範囲において、前記ロックピンを具備したスライド部材を進退可能に駆動するように構成され、また前記スライド部材にはワイピング部材がさらに配置され、ワイピング部材がスライド部材の移動に伴って前記記録ヘッドの移動経路に進出できるように構成されることが望ましい。
【００２２】
以上のように構成されたインクジェット式記録装置によると、ロックピンを備えたスライド部材は、スライド部材に配置された溝孔内を摺動する駆動ピンによって進退運動がなされ、その移動位置に応じてキャリッジのロック状態、または非ロック状態が形成される。
【００２３】
この場合、駆動ピンが摺動する溝孔は、キャリッジロック状態において外力によるスライド部材の移動作用の応力により、前記駆動ピンの移動が阻止できる溝構造になされているので、例えば搬送中においてまたは落下により大きな衝撃を受けた場合においてもスライド部材の移動を阻止することができ、したがってキャリッジロック状態が解除されるのを防止させることができる。
【００２４】
例えば、スライド部材に形成された溝孔の一部に屈曲部を形成し、衝撃等の外力によるスライド部材の移動作用を受けた場合に、駆動ピンが前記屈曲部に係合されるように構成させることで、衝撃による影響を受けないキャリッジロック機構を提供することが可能であり、したがって従来のキャリッジロック機構に比較して格別な別部材を備えることなく、これを構成させることが可能となる。
【００２５】
【発明の実施の形態】
以下、本発明にかかるインクジェット式記録装置について、図に示す実施の形態に基づいて説明する。図１は本発明が適用された記録装置本体の全体構成を斜視図によって示したものである。図１において符号１はキャリッジであり、キャリッジモータ２により駆動されるタイミングベルト３を介し、ガイド部材４に案内されてプラテン５の軸方向に往復移動されるように構成されている。
【００２６】
キャリッジ１の記録用紙６に対向する側には、後述するインクジェット式記録ヘッドが搭載され、またその上部には前記記録ヘッドにインクを供給するブラックインクカートリッジ７、およびカラーインクカートリッジ８が着脱可能に装填されている。
【００２７】
図中符号９は、非印字領域（ホームポジション）に配置されたキャッピング手段であって、キャリッジ１に搭載された後述する記録ヘッドが直上に移動した時に、記録ヘッドのノズル形成面を封止できるように構成されている。そしてキャッピング手段９の下方には、キャッピング手段９の内部空間に負圧を与えるための負圧発生手段としての吸引ポンプ１０が配置されている。
【００２８】
前記キャッピング手段９は記録装置の休止期間中における記録ヘッドのノズル開口の乾燥を防止する蓋体として機能する他、記録ヘッドに印刷とは関係のない駆動信号を印加してインク滴を空吐出させるフラッシング動作時のインク受けとして機能し、さらに前記吸引ポンプ１０からの負圧を記録ヘッドに作用させて、インクを吸引するクリーニング手段としての機能も兼ね備えている。
【００２９】
そして、キャッピング手段９における印字領域側の近傍には、ゴムなどの弾性板からなるワイピング部材１１が、水平方向に進退可能となるように配置されていて、キャリッジ１がキャッピング手段９側に往復移動する際に、記録ヘッドの移動経路上にワイピング部材１１が進出できるように構成されている。
【００３０】
図２は、前記キャリッジ１の移動に伴うキャッピング手段９の昇降動作に関する概略構成を模式図によって示したものである。符号１は前記したキャリッジを示しており、このキャリッジ１の下側面には記録ヘッド１２が配置されている。そして、キャリッジ１の下側面には、キャリッジ１のホームポジション側への進行方向の前端部に突起１ａが配置されている。
【００３１】
一方、キャッピング手段９には、基台９ａに対してレバー９ｂを介して円弧軌跡をもって上下方向に移動できるスライダ９ｃが具備されており、スライダ９ｃの上面にはゴムなどの軟質性部材によりほぼ方形状に成形されたキャップ部材９ｄが配置されている。また、スライダ９ｃの上面には、前記キャリッジ１に配置された突起１ａによって当接されるフラッグ片９ｅが配置されている。前記レバー９ｂは基台９ａ側において支持軸９ｆによって軸支されており、またレバー９ｂの自由端側において支持軸９ｇによってスライダ９ｃを軸支している。
【００３２】
したがって、キャリッジ１がホームポジション側、すなわち矢印Ａ方向に移動した場合には、キャリッジ１に配置された突起１ａが、キャッピング手段９側に配置されたフラッグ片９ｅに当接し、そのまま矢印Ａ方向にキャリッジ１が進行することにより、スライダ９ｃを支えるレバー９ｂは矢印Ｂ方向に回動される。よって、スライダ９ｃは、キャリッジ１の進行に伴って上部に移動し、スライダ９ｃに配置されたキャップ部材９ｄによって、記録ヘッド１２のノズル形成面１２ａが封止され、キャッピング状態になされる。
【００３３】
このキャッピング状態において、後述するキャリッジロック機構によってキャリッジ１の移動がロックされ、キャッピング状態が維持される。そして、印字動作に入る場合には、キャリッジロック機構が解除され、キャリッジモータによってキャリッジ１は、矢印Ａとは逆方向に移動されるため、スライダ９ｃは図示せぬ戻しバネの作用によって下降する。
【００３４】
次に図３は図１に示す記録装置に用いられているキャリッジロック機構を、装置の側面方向から視た状態で示しており、これは前記した図９に対応させて示している。したがって、図９に示した構成に相当する部分は同一符号で示しており、その詳細な説明は適宜省略する。この図３に示す状態はキャリッジロック状態を示しており、図に示すキャリッジロック機構においては、スライド部材２１に形成された溝孔２３の一部に、キャリッジロック状態において前記駆動ピン２４が位置し、外力によりスライド部材２１に移動作用を受けた場合に、前記駆動ピン２４が係合される屈曲部が形成されている。
【００３５】
すなわち、スライド部材２１に形成された溝孔２３は、長手方向が互いに平行状態となるように第１の直線部３１と第２の直線部３２を有している。そして、第１の直線部３１と第２の直線部３２に直交して両者を連通させる連通部３３が形成されている。この構成により、第１の直線部３１と連通部３３との間で直角状の第１の屈曲部３４が形成され、また第２の直線部３２と連通部３３との間で直角状の第２の屈曲部３５が形成されている。
【００３６】
図４および図５は前記した構成の溝孔２３を配置したことによるキャリッジロックの作用を説明するものであり、図４は装置の落下等の衝撃を受けてスライド部材２１が矢印Ｃ方向に移動作用を受けた状況を示し、また図５は装置の落下等の衝撃を受けてスライド部材２１が矢印Ｄ方向に移動作用を受けた状況を示している。
【００３７】
まず、図４に示すようにスライド部材２１が矢印Ｃ方向に移動作用を受けた場合においては、第１の直線部３１と連通部３３との間で形成された直角状の第１の屈曲部３４に駆動ピン２４が係合される。すなわち、駆動ピン２４の位置は第１の屈曲部３４において係合されて位置規制され、これに伴いスライド部材２１は矢印Ｃ方向には移動できなくなる。したがって、スライド部材２１に形成されたロックピン２２は、キャリッジ１に配置された係合部材１ｂに係止された状態が保持され、キャリッジロック状態が継続される。
【００３８】
また、図５に示すようにスライド部材２１が矢印Ｄ方向に移動作用を受けた場合においては、第２の直線部３２と連通部３３との間で形成された直角状の第２の屈曲部３５に駆動ピン２４が係合される。すなわち、駆動ピン２４の位置は第２の屈曲部３５において係合されて位置規制され、これに伴いスライド部材２１は矢印Ｄ方向には移動できなくなる。したがって、スライド部材２１に形成されたロックピン２２は、キャリッジ１に配置された係合部材１ｂに係止された状態が保持され、キャリッジロック状態が継続される。
【００３９】
したがって、図３乃至図５に示した構成によると、外部からの衝撃を受けてスライド部材２１のいずれの移動方向に慣性作用が働いても、キャリッジロック状態が解除されるという不都合は発生しない。よって、キャリッジ１が印字領域側に移動し、これによりキャッピング手段９が下降して記録ヘッドのノズル形成面の封止が解除されるという問題には至らない。
【００４０】
図６は、図３に示すキャリッジロック状態からカム部材２５が紙面上左回転し、リセット状態となった場合を示している。すなわち、キャリッジロック状態からカム部材２５が紙面上左回転した場合には、駆動ピン２４は第１の直線部３１に入り込み、そのまま第１の直線部３１の上端部まで摺動し、スライド部材２１を後退状態とさせる。この状態においては、キャリッジ１に配置された係合部材１ｂは、スライド部材２１に形成されたロックピン２２からの係合が外れ、キャリッジ１はガイド部材４に沿って移動可能な状態とされる。
【００４１】
また、図７は図３に示すキャリッジロック状態からカム部材２５が紙面上右回転し、ワイピング状態とした場合を示している。すなわち、キャリッジロック状態からカム部材２５が紙面上右回転した場合には、駆動ピン２４は第２の直線部３２に入り込み、そのまま第２の直線部３２の下端部まで摺動し、スライド部材２１を前進状態とさせる。この状態においては、キャリッジ１に配置された係合部材１ｂは、スライド部材２１に形成されたロックピン２２からの係合が外れた状態となされ、しかも、スライド部材２１に配置されたワイピング部材１１が記録ヘッド１２の移動経路に進出して、キャリッジ１の移動に伴って記録ヘッド１２のノズル形成面をワイピング部材１１によって払拭（ワイピング）されるようになされる。これにより、記録ヘッドのノズル形成面に付着したインク等を払拭し、ノズル形成面の清掃を行なうことができる。
【００４２】
図８（Ａ）および（Ｂ）は、キャリッジロック機構を構成するスライド部材２１に形成された溝孔２３の他の実施の形態を拡大して示したものである。図８（Ａ）に示す形態は、第１の直線部３１と第２の直線部３２に対して互いに鈍角の関係を持って両者を連通させる連通部３３が形成されている。この構成により、第１の直線部３１と連通部３３との間で鈍角状の第１の屈曲部３４が形成され、また第２の直線部３２と連通部３３との間で鈍角状の第２の屈曲部３５が形成されている。
【００４３】
この図８（Ａ）に示した溝構造においても、キャリッジロック状態における装置に衝撃が加わった場合において、駆動ピン２４は鈍角状の第１の屈曲部３４または第２の屈曲部３５のいずれかに係合され、スライド部材２１の移動が規制されてキャリッジのロック状態が継続される。
【００４４】
また図８（Ｂ）に示す溝孔２３は、直線状に形成されると共に、長手方向の途中において溝幅を変化させた構成とされている。そして、溝幅の変化位置において屈曲部３４が形成されている。この構成においては、例えば図９に示されるような長手方向に直交する断面形状がＬ字状に形成された係合部材１ｂと組み合わせた場合に有効である。すなわち、キャリッジロック状態において装置に衝撃が加わり、例えば図８（Ｂ）においてスライド部材２１に矢印Ｃ方向への移動作用が加わった場合には、駆動ピン２４は溝孔２３に形成された屈曲部３４に係合されるため、スライド部材２１は矢印Ｃ方向への移動が規制され、キャリッジロック状態が継続される。
【００４５】
一方、図８（Ｂ）においてスライド部材２１に矢印Ｄ方向への移動作用が加わった場合には、断面Ｌ字状に形成された係合部材１ｂの一側壁にロックピン２２が当接するために、スライド部材２１は矢印Ｄ方向への移動が規制され、同様にキャリッジロック状態が継続される。
【００４６】
したがって、図８（Ａ）および（Ｂ）に示した構成を採用しても、衝撃によりキャリッジロック状態が解除されるのを有効に阻止することができ、キャッピング手段による記録ヘッドのノズル形成面の封止状態を維持させることができる。
【００４７】
【発明の効果】
以上の説明で明らかなように、本発明にかかるインクジェット式記録装置によると、キャリッジの移動をロックするキャリッジロック機構は、キャリッジの移動方向に直交する方向に移動できるように配置されると共に、移動途上においてキャリッジの一部に係合して、キャリッジの移動を阻止するロックピンを備えたスライド部材と、このスライド部材に形成された溝孔内に摺動し、アクチェータの駆動力を受けて前記スライド部材を進退させる駆動ピンとが具備され、駆動ピンが摺動する溝孔は、外力を受けたスライド部材の移動作用により、前記駆動ピンの移動を阻止することができる溝構造を形成したので、衝撃によりスライド部材が移動するのを有効に阻止することができる。したがって、キャッピング手段による記録ヘッドのノズル形成面の封止状態を維持させることができ、記録装置の印字の信頼性を保証することができる。
【図面の簡単な説明】
【図１】本発明を適用したインクジェット式記録装置の本体部分を示す斜視図である。
【図２】図１に示す記録装置におけるキャリッジの移動に伴うキャッピング手段の昇降動作を示した模式図である。
【図３】図１に示す記録装置に搭載されたキャリッジロック機構の側面図である。
【図４】衝撃を受けた場合における図３に示すキャリッジロック機構のロック状態を示す側面図である。
【図５】他方向から衝撃を受けた場合におけるキャリッジロック機構のロック状態を示す側面図である。
【図６】図３に示すキャリッジロック機構のロック状態をリセットした状態を示す側面図である。
【図７】図３に示すキャリッジロック機構のワイピング状態を示す側面図である。
【図８】キャリッジロック機構を構成する溝孔の他の実施の形態を示した側面図である。
【図９】従来の記録装置におけるキャリッジロック機構の構成を示した側面図である。
【図１０】従来の記録装置におけるロック状態をリセットした状態を示す側面図である。
【図１１】従来の記録装置におけるワイピング状態を示す側面図である。
【符号の説明】
１    キャリッジ
１ｂ  係合部材
２    キャリッジモータ
３    タイミングベルト
４    ガイド部材
５    プラテン
６    記録用紙
７    ブラックインクカートリッジ
８    カラーインクカートリッジ
９    キャッピング手段
１０    吸引ポンプ
１１    ワイピング部材
１２    記録ヘッド  １２ａ  ノズル形成面
２１    スライド部材
２２    ロックピン
２３    溝孔
２４    駆動ピン
２５    カム部材
３１    第１直線部
３２    第２直線部
３３    連通部
３４    第１屈曲部
３５    第２屈曲部
【図１】
0003669194.tif 000002
【図２】
0003669194.tif 000003
【図３】
0003669194.tif 000004
【図４】
0003669194.tif 000005
【図５】
0003669194.tif 000006
【図６】
0003669194.tif 000007
【図７】
0003669194.tif 000008
【図８】
0003669194.tif 000009
【図９】
0003669194.tif 000010
【図１０】
0003669194.tif 000011
【図１１】
0003669194.tif 000012